(57)【要約】【課題】移動端末装置が備える撮像装置により画像を撮像するための指示操作を行うだけで、撮像した画像が予め定められたサーバ装置へ送信され、この画像をサーバ装置において管理することが可能なネットワークシステム、および該ネットワークシステムにおいて実行される通信制御方法を提供すること。【解決手段】移動端末装置が、画像を撮像する撮像手段と、前記撮像手段によって撮像した画像を前記サーバ装置へ送信する画像送信手段とを備え、前記撮像装置により画像を撮像するための指示操作に基づいて、前記画像を前記撮像手段が撮像し、撮像した前記画像を予め定められた前記サーバ装置へ前記画像送信手段が送信し、サーバ装置が、前記移動端末装置から送信された前記画像を受信する画像受信手段と、前記画像受信手段によって受信した前記画像をサーバ装置側メモリに蓄積する画像蓄積手段とを備えることを特徴とする。【選択図】図１
2007174105.tif 000002
【特許請求の範囲】
【請求項１】
撮像装置付き移動端末装置とサーバ装置とを備えたネットワークシステムであって、
前記移動端末装置は、
画像を撮像する撮像手段と、
前記撮像手段によって撮像した画像を前記サーバ装置へ送信する画像送信手段と、
を備え、
前記撮像装置により画像を撮像するための指示操作に基づいて、前記画像を前記撮像手段が撮像し、撮像した前記画像を予め定められた前記サーバ装置へ前記画像送信手段が送信し、
前記サーバ装置は、
前記移動端末装置から送信された前記画像を受信する画像受信手段と、
前記画像受信手段によって受信した前記画像をサーバ装置側メモリに蓄積する画像蓄積手段と、
を備えることを特徴とするネットワークシステム。
【請求項２】
前記移動端末装置は、
前記撮像手段によって撮像した前記画像を所定サイズ以下の分割画像に分割する画像分割手段と、
をさらに備え、
前記画像送信手段は、前記画像分割手段によって分割された前記分割画像を前記サーバ装置へ送信し、
前記画像受信手段は、前記移動端末装置から送信された前記分割画像を受信し、
前記サーバ装置は、
前記画像受信手段によって受信した前記分割画像を復元する画像復元手段と、
をさらに備え、
前記画像蓄積手段は、前記画像復元手段によって復元した前記画像を蓄積することを特徴とする請求項１に記載のネットワークシステム。
【請求項３】
前記移動端末装置は、
所定の情報に基づいて、前記撮像手段によって撮像した画像を端末内蔵メモリに格納する画像格納手段と、
をさらに備え、
再送の指示に基づいて、前記端末内蔵メモリに格納された前記画像を前記画像送信手段が一括して送信し、一括して送信した前記画像を前記端末内蔵メモリから削除することを特徴とする請求項１に記載のネットワークシステム。
【請求項４】
前記所定の情報は、他の移動端末と通信可能なサービスエリアの圏外であることを示す情報であることを特徴とする請求項３に記載のネットワークシステム。
【請求項５】
前記他の移動端末と通信可能なサービスエリアの圏内であることを示す情報に基づいて、前記再送の指示が行われることを特徴とする請求項４に記載のネットワークシステム。
【請求項６】
前記所定の情報は、特定の指示操作に基づく情報であることを特徴とする請求項３に記載のネットワークシステム。
【請求項７】
撮像装置付き移動端末装置とサーバ装置とを備えたネットワークシステムにおいて実行される通信制御方法であって、
前記撮像装置により画像を撮像するための指示操作に基づいて、前記移動端末装置が、
画像を撮像し、
撮像した前記画像を予め定めた前記サーバ装置へ送信し、
前記サーバ装置が、
前記移動端末装置から送信された前記画像を受信し、
受信した前記画像をサーバ装置側メモリに蓄積する、
ことを特徴とする通信制御方法。
【請求項８】
前記移動端末装置は、
撮像した前記画像を所定サイズ以下の分割画像に分割し、
前記送信においては、分割された前記分割画像を前記サーバ装置へ送信し、
前記受信においては、送信された前記分割画像を受信し、
前記サーバ装置は、
受信した前記分割画像を復元し、
前記蓄積においては、復元した前記画像を蓄積することを特徴とする請求項７に記載の通信制御方法。
【請求項９】
前記移動端末装置は、
所定の情報に基づいて、撮像した画像を端末内蔵メモリに格納し、
再送の指示に基づいて、前記端末内蔵メモリに格納された前記画像を一括して送信し、一括して送信した前記画像を前記端末内蔵メモリから削除することを特徴とする請求項７に記載の通信制御方法。
【請求項１０】
前記所定の情報は、他の移動端末と通信可能なサービスエリアの圏外であることを示す情報であることを特徴とする請求項９に記載の通信制御方法。
【請求項１１】
前記他の移動端末と通信可能なサービスエリアの圏内であることを示す情報に基づいて、前記再送の指示が行われることを特徴とする請求項１０に記載の通信制御方法。
【請求項１２】
前記所定の情報は、特定の指示操作に基づく情報であることを特徴とする請求項９に記載の通信制御方法。
【請求項１３】
撮像装置付き移動端末装置とサーバ装置とを備えたネットワークシステムであって、
前記移動端末装置は、
前記サーバ装置で起動するアプリケーションプログラムを特定するためのアプリケーション識別情報を含むアプリケーション情報が符号化された特殊コードを読み取る特殊コード読取手段と、
前記特殊コード読取手段によって読み取った特殊コードを送信用コードに変換するコード変換手段と、
前記コード変換手段によって変換した送信用コードを前記サーバ装置へ送信する送信手段と、
を備え、
前記撮像装置により画像を撮像するための指示操作に基づいて、前記特殊コードを前記特殊コード手段が読み取り、読み取られた前記特殊コードを前記コード変換手段が前記送信用コードに変換し、変換された前記送信用コードを前記送信手段が前記サーバ装置へ送信し、
前記サーバ装置は、
前記移動端末装置から送信された前記送信用コードを受信する受信手段と、
前記受信手段によって受信した送信用コードを解析するコード解析手段と、
前記コード解析手段によって解析した前記アプリケーション識別情報に基づいて、前記アプリケーションプログラムを実行する実行手段と、
を備えることを特徴とするネットワークシステム。
【請求項１４】
前記アプリケーション情報は、時刻情報、場所情報または物事の内容を示す事柄情報を含み、
前記送信手段は、前記送信用コードとともに前記移動端末装置を特定するための端末識別情報を送信し、
前記アプリケーションプログラムは、前記時刻情報、前記場所情報または前記事柄情報と前記端末識別情報とに基づいて、予め前記移動端末装置に対応付けられている者のスケジュールを管理するスケジュール管理プログラムであることを特徴とする請求項１３に記載のネットワークシステム。
【請求項１５】
前記特殊コードは、異なる光学特性を有する単元モジュールが二次元に配列された二次元バーコードであることを特徴とする請求項１３または１４に記載のネットワークシステム。
【請求項１６】
撮像装置付き移動端末装置とサーバ装置とを備えたネットワークシステムにおいて実行される通信制御方法であって、
前記撮像装置により画像を撮像するための指示操作に基づいて、前記移動端末装置が、
前記サーバ装置で起動するアプリケーションプログラムを特定するためのアプリケーション識別情報を含むアプリケーション情報が符号化された特殊コードを読み取り、
読み取った前記特殊コードを送信用コードに変換し、
変換した前記送信用コードを前記サーバ装置へ送信し、
前記サーバ装置が、
前記移動端末装置から送信された前記送信用コードを受信し、
受信した前記送信用コードを解析し、
解析した前記アプリケーション識別情報に基づいて、前記アプリケーションプログラムを実行する、
ことを特徴とする通信制御方法。
【請求項１７】
前記移動端末装置は、
時刻情報、場所情報または物事の内容を示す事柄情報を含む前記アプリケーション情報が符号化された前記特殊コードを読み取り、
前記送信用コードとともに前記移動端末装置を特定するための端末識別情報を送信し、
前記サーバ装置は、
前記アプリケーションプログラムとして、前記時刻情報、前記場所情報または前記事柄情報と前記端末識別情報とに基づいて、予め前記移動端末装置に対応付けられている者のスケジュールを管理するスケジュール管理プログラムを実行する、
ことを特徴とする請求項１６に記載の通信制御方法。
【請求項１８】
前記特殊コードは、異なる光学特性を有する単元モジュールが二次元に配列された二次元バーコードであることを特徴とする請求項１３または１４に記載の通信制御方法。
【発明の詳細な説明】
【技術分野】
【０００１】
本発明は、撮像装置付き移動端末装置とサーバ装置とを備えたネットワークシステム、および該ネットワークシステムにおいて実行される通信制御方法に関する。
特に、移動端末装置が備えている撮像装置を操作するだけで大容量の撮像画像をサーバ装置へ分割通信するネットワークシステムおよび通信制御方法、移動端末装置が備えている撮像装置を操作するだけで通信可能な状態になってから一括して撮像画像をサーバ装置へ通信するネットワークシステムおよび通信制御方法、および移動端末装置が備えている撮像装置を操作するだけで読み込まれた特殊コードに対応するアプリケーションプログラムがサーバ装置において実行されるネットワークシステムおよび通信制御方法に関する。
【背景技術】
【０００２】
近年、携帯電話等の通信機能を有する移動端末装置に、デジタルカメラに代表される撮像装置を備えることにより、撮像した画像を指定した他の移動端末装置あるいはサーバ装置等に送信することが可能となっている（例えば、特許文献１参照。）。
【０００３】
また、電子メールによる会議開催通知の送受信により会議の予約、出欠確認およびスケジュール登録等を行う、電子メールと連動した会議情報管理システムも開発されている（例えば、特許文献２参照。）。
【特許文献１】特開２０００−２４４６７３号公報
【特許文献２】特開２００５−７０９３３号公報
【発明の開示】
【発明が解決しようとする課題】
【０００４】
しかしながら、移動端末装置が備える撮像装置で撮像した画像を、指定した他の移動端末装置に送信するためには、画像を撮像する操作、撮像した画像を電子メールに添付する操作、電子メールを送信する送信先を指定する操作、電子メールを送信するための操作等が必要であり、移動端末装置の操作が煩雑になるという問題点があった。
【０００５】
また、電子メールによる会議開催通知の送受信により会議の予約、出欠確認およびスケジュール登録等を行うシステムにおいても、電子メールを作成する操作、電子メールを送信する送信先を指定する操作、電子メールを送信するための操作等が必要であり、移動端末装置（ユーザ端末）の操作が煩雑になるという問題点があった。
【０００６】
本発明は、上記事情に鑑みてなされたもので、移動端末装置が備える撮像装置により画像を撮像するための指示操作を行うだけで、撮像した画像が予め定められたサーバ装置へ送信され、この画像をサーバ装置において管理することが可能なネットワークシステム、および該ネットワークシステムにおいて実行される通信制御方法を提供することを第１の目的とする。
【０００７】
また、本発明は、移動端末装置が備える撮像装置により画像を撮像するための指示操作を行うだけで、特殊コードが読み取られ、読み取られた特殊コードが送信用コードに変換され、変換された送信用コードがサーバ装置へ送信され、この送信用コードに基づいて、対応するアプリケーションプログラムがサーバ装置で実行されることが可能なネットワークシステム、および該ネットワークシステムにおいて実行される通信制御方法を提供することを第２の目的とする。
【課題を解決するための手段】
【０００８】
本発明は、上記課題を解決するため、下記のような構成を採用した。
すなわち、本発明の一態様によれば、本発明のネットワークシステムは、撮像装置付き移動端末装置とサーバ装置とを備えたネットワークシステムであって、前記移動端末装置が、画像を撮像する撮像手段と、前記撮像手段によって撮像した画像を前記サーバ装置へ送信する画像送信手段とを備え、前記撮像装置により画像を撮像するための指示操作に基づいて、前記画像を前記撮像手段が撮像し、撮像した前記画像を予め定められた前記サーバ装置へ前記画像送信手段が送信し、前記サーバ装置が、前記移動端末装置から送信された前記画像を受信する画像受信手段と、前記画像受信手段によって受信した前記画像をサーバ装置側メモリに蓄積する画像蓄積手段とを備えることを特徴とする。
【０００９】
また、本発明のネットワークシステムは、前記移動端末装置が、前記撮像手段によって撮像した前記画像を所定サイズ以下の分割画像に分割する画像分割手段とをさらに備え、前記画像送信手段が、前記画像分割手段によって分割された前記分割画像を前記サーバ装置へ送信し、前記画像受信手段が、前記移動端末装置から送信された前記分割画像を受信し、前記サーバ装置が、前記画像受信手段によって受信した前記分割画像を復元する画像復元手段とをさらに備え、前記画像蓄積手段が、前記画像復元手段によって復元した前記画像を蓄積することが望ましい。
【００１０】
また、本発明のネットワークシステムは、前記移動端末装置が、所定の情報に基づいて、前記撮像手段によって撮像した画像を端末内蔵メモリに格納する画像格納手段とをさらに備え、再送の指示に基づいて、前記端末内蔵メモリに格納された前記画像を前記画像送信手段が一括して送信し、一括して送信した前記画像を前記端末内蔵メモリから削除することが望ましい。
【００１１】
また、本発明のネットワークシステムは、前記所定の情報が、他の移動端末と通信可能なサービスエリアの圏外であることを示す情報であることが望ましい。
また、本発明のネットワークシステムは、前記他の移動端末と通信可能なサービスエリアの圏内であることを示す情報に基づいて、前記再送の指示が行われることが望ましい。
【００１２】
また、本発明のネットワークシステムは、前記所定の情報が、特定の指示操作に基づく情報であることが望ましい。
また、本発明の一態様によれば、本発明の通信制御方法は、撮像装置付き移動端末装置とサーバ装置とを備えたネットワークシステムにおいて実行される通信制御方法であって、前記撮像装置により画像を撮像するための指示操作に基づいて、前記移動端末装置が、画像を撮像し、撮像した前記画像を予め定めた前記サーバ装置へ送信し、前記サーバ装置が、前記移動端末装置から送信された前記画像を受信し、受信した前記画像をサーバ装置側メモリに蓄積することを特徴とする。
【００１３】
また、本発明の通信制御方法は、前記移動端末装置が、撮像した前記画像を所定サイズ以下の分割画像に分割し、前記送信においては、分割された前記分割画像を前記サーバ装置へ送信し、前記受信においては、送信された前記分割画像を受信し、前記サーバ装置が、受信した前記分割画像を復元し、前記蓄積においては、復元した前記画像を蓄積することが望ましい。
【００１４】
また、本発明の通信制御方法は、前記移動端末装置が、所定の情報に基づいて、撮像した画像を端末内蔵メモリに格納し、再送の指示に基づいて、前記端末内蔵メモリに格納された前記画像を一括して送信し、一括して送信した前記画像を前記端末内蔵メモリから削除することが望ましい。
【００１５】
また、本発明の通信制御方法は、前記所定の情報が、他の移動端末と通信可能なサービスエリアの圏外であることを示す情報であることが望ましい。
また、本発明の通信制御方法は、前記他の移動端末と通信可能なサービスエリアの圏内であることを示す情報に基づいて、前記再送の指示が行われることが望ましい。
【００１６】
また、本発明の通信制御方法は、前記所定の情報が、特定の指示操作に基づく情報であることが望ましい。
また、本発明の一態様によれば、本発明のネットワークシステムは、撮像装置付き移動端末装置とサーバ装置とを備えたネットワークシステムであって、前記移動端末装置が、前記サーバ装置で起動するアプリケーションプログラムを特定するためのアプリケーション識別情報を含むアプリケーション情報が符号化された特殊コードを読み取る特殊コード読取手段と、前記特殊コード読取手段によって読み取った特殊コードを送信用コードに変換するコード変換手段と、前記コード変換手段によって変換した送信用コードを前記サーバ装置へ送信する送信手段とを備え、前記撮像装置により画像を撮像するための指示操作に基づいて、前記特殊コードを前記特殊コード手段が読み取り、読み取られた前記特殊コードを前記コード変換手段が前記送信用コードに変換し、変換された前記送信用コードを前記送信手段が前記サーバ装置へ送信し、前記サーバ装置が、前記移動端末装置から送信された前記送信用コードを受信する受信手段と、前記受信手段によって受信した送信用コードを解析するコード解析手段と、前記コード解析手段によって解析した前記アプリケーション識別情報に基づいて、前記アプリケーションプログラムを実行する実行手段とを備えることを特徴とする。
【００１７】
また、本発明のネットワークシステムは、前記アプリケーション情報が、時刻情報、場所情報または物事の内容を示す事柄情報を含み、前記送信手段が、前記送信用コードとともに前記移動端末装置を特定するための端末識別情報を送信し、前記アプリケーションプログラムが、前記時刻情報、前記場所情報または前記事柄情報と前記端末識別情報とに基づいて、予め前記移動端末装置に対応付けられている者のスケジュールを管理するスケジュール管理プログラムであることが望ましい。
【００１８】
また、本発明のネットワークシステムは、前記特殊コードが、異なる光学特性を有する単元モジュールが二次元に配列された二次元バーコードであることが望ましい。
また、本発明の一態様によれば、本発明の通信制御方法は、撮像装置付き移動端末装置とサーバ装置とを備えたネットワークシステムにおいて実行される通信制御方法であって、前記撮像装置により画像を撮像するための指示操作に基づいて、前記移動端末装置が、前記サーバ装置で起動するアプリケーションプログラムを特定するためのアプリケーション識別情報を含むアプリケーション情報が符号化された特殊コードを読み取り、読み取った前記特殊コードを送信用コードに変換し、変換した前記送信用コードを前記サーバ装置へ送信し、前記サーバ装置が、前記移動端末装置から送信された前記送信用コードを受信し、受信した前記送信用コードを解析し、解析した前記アプリケーション識別情報に基づいて、前記アプリケーションプログラムを実行することを特徴とする。
【００１９】
また、本発明の通信制御方法は、前記移動端末装置が、時刻情報、場所情報または物事の内容を示す事柄情報を含む前記アプリケーション情報が符号化された前記特殊コードを読み取り、前記送信用コードとともに前記移動端末装置を特定するための端末識別情報を送信し、前記サーバ装置が、前記アプリケーションプログラムとして、前記時刻情報、前記場所情報または前記事柄情報と前記端末識別情報とに基づいて、予め前記移動端末装置に対応付けられている者のスケジュールを管理するスケジュール管理プログラムを実行することが望ましい。
【００２０】
また、本発明の通信制御方法は、前記特殊コードが、異なる光学特性を有する単元モジュールが二次元に配列された二次元バーコードであることが望ましい。
【発明の効果】
【００２１】
本発明によれば、移動端末装置が備える撮像装置により画像を撮像するための指示操作を行うという簡単な操作だけで、撮像した画像が予め定められたサーバ装置へ送信され、この画像をサーバ装置において管理することが可能になる。
【００２２】
また、本発明によれば、移動端末装置が備える撮像装置により画像を撮像するための指示操作を行うという簡単な操作だけで、撮像した特殊コードが送信用コードに変換されてサーバ装置へ送信され、この送信用コードに基づいて、対応するアプリケーションプログラムがサーバ装置で実行することが可能になる。
【発明を実施するための最良の形態】
【００２３】
以下、図面に基づいて本発明を適用した実施の形態を説明する。
図１は、本発明を適用したネットワークシステムの全体概要を示す図である。
図１において、ネットワークシステム３は、デジタルカメラ付き携帯電話等の撮像装置付き移動端末装置１とサーバ装置２とが、インターネットや通信回線網等のネットワーク４を介して接続されており、互いに通信可能な機能を備えている。通常、サーバ装置２は、社内ＬＡＮ等のＬＡＮ５等を介してパーソナルコンピュータ等のＰＣ端末装置６と接続されている。
【００２４】
図２は、本発明を適用した移動端末装置の機能ブロック図である。
図２において、移動端末装置１は例えば携帯電話であって、デジタルカメラ等の撮像装置７と、他の携帯電話やサーバ装置２等と通信可能な通信手段８を備えている他、画像分割手段１３、端末内蔵メモリ１４、画像格納手段１５、特殊コード読み取り手段１６、コード変換手段１７を備えている。また、撮像装置７は撮像手段１１を備え、通信手段８は送信手段１８および画像送信手段１２を備えている。
【００２５】
撮像手段１１は、シャッターボタンを押すことにより画像を撮像する。画像送信手段１２は、ネットワーク４を介して前記撮像手段１１によって撮像した画像を前記サーバ装置２へ送信する。これらの撮像手段１１による撮像および画像送信手段による送信は、前記撮像装置７により画像を撮像するための指示操作であるシャッターボタンの押下に基づいて、前記画像を前記撮像手段１１が撮像し、撮像した前記画像を予め定められた前記サーバ装置２へ前記画像送信手段１２が送信する。
【００２６】
画像分割手段１３は、前記撮像手段１１によって撮像した前記画像のサイズが大きい場合、例えば５０ｋバイト以上である場合、前記画像を５０ｋバイト以下の分割画像に分割する。この場合、前記画像送信手段１２は、前記画像分割手段１３によって分割された前記分割画像を前記サーバ装置２へ送信する。
【００２７】
また、画像を直ぐに送信しない場合、あるいは移動端末装置１が通信可能なサービスエリアの圏外にあるために送信できないような場合、画像格納手段１５は、送信しないことを示す指示操作や圏外であることを示す情報に基づいて、前記撮像手段１１によって撮像した画像を端末内蔵メモリ１４に格納する。その後、他の移動端末と通信可能なサービスエリアの圏内であることを示す情報を受信する等の再送の指示に基づいて、前記端末内蔵メモリ１４に格納された前記画像を前記画像送信手段１２が一括して送信し、一括して送信した前記画像を前記端末内蔵メモリ１４から削除する。
【００２８】
特殊コード読取手段１６は、前記サーバ装置２で起動するアプリケーションプログラムを特定するためのアプリケーション識別情報を含むアプリケーション情報が符号化された特殊コードを読み取る。ここで、アプリケーション情報には、時刻情報、場所情報または物事の内容を示す事柄情報を含むことがある。また、特殊コードとは、例えば異なる光学特性を有する単元モジュールが二次元に配列された二次元バーコード等である。
【００２９】
コード変換手段１７は、前記特殊コード読取手段１６によって読み取った特殊コードを送信用コードに変換する。そして、送信手段１８は、前記コード変換手段１７によって変換した送信用コードを前記サーバ装置２へ送信する。これら特殊コード読取手段１６による読み取り、コード変換手段１７による変換および送信手段１８による送信は、前記撮像装置７により画像を撮像するための指示操作であるシャッターボタンの押下に基づいて、前記特殊コードを前記特殊コード手段１６が読み取り、読み取られた前記特殊コードを前記コード変換手段１７が前記送信用コードに変換し、変換された前記送信用コードを予め定められた前記サーバ装置２へ前記送信手段１８が送信する。また、前記送信手段１８は、前記送信用コードとともに前記移動端末装置１を特定するための端末識別情報を送信する。
【００３０】
図３は、本発明を適用したサーバ装置に機能ブロック図である。
図３において、サーバ装置２は、移動端末装置１と通信可能な通信手段９と、少なくとも内蔵メモリ１０Ａあるいは外部メモリ１０Ｂとしてのサーバ側メモリ１０を備えている他、画像蓄積手段２２、画像復元手段２３、コード解析手段２５、実行手段２６を備えている。また、通信手段９は、画像受信手段２１および受信手段２４を備えている。
【００３１】
画像受信手段２１は、前記移動端末装置１から送信された前記画像を受信する。なお、移動端末装置１から送信されてきた画像が分割画像である場合、前記画像受信手段２１は、前記移動端末装置１から送信された前記分割画像を受信する。そして、画像復元手段２３は、前記画像受信手段２１によって受信した前記分割画像を元通りの画像に復元する。
【００３２】
画像蓄積手段２２は、前記画像受信手段２１によって受信した前記画像を内蔵メモリ１０Ａあるいは外部メモリ１０Ｂのサーバ装置側メモリ１０に蓄積するが、受信した画像が分割画像である場合には、前記画像復元手段２３によって復元した前記画像を蓄積する。
【００３３】
また、受信手段２４は、前記移動端末装置１から送信された前記送信用コードを受信する。コード解析手段２５は、前記受信手段２４によって受信した送信用コードを解析する。そして、実行手段２６は、前記コード解析手段２５によって解析した前記アプリケーション識別情報に基づいて、前記アプリケーションプログラムを実行する。例えば、アプリケーションプログラムには、前記時刻情報、前記場所情報または前記事柄情報と前記端末識別情報とに基づいて、予め前記移動端末装置１に対応付けられている者のスケジュールを管理するスケジュール管理プログラムがある。
【００３４】
次に、上述したような撮像装置付き移動端末装置とサーバ装置とを備えたネットワークシステムにおいて実行される通信制御方法について、フローチャート等を用いて説明する。
【００３５】
図４は、移動端末装置において実行される画像送信処理の流れを示すフローチャートである。
移動端末装置１は、まず、ステップＳ４０１において、前記撮像装置７により画像を撮像するための指示操作に基づいて、画像を撮像する。そして、ステップＳ４０２において、撮像した画像を直ぐに送信する即送モードであるか後から送信する後送モードであるのかを判断する。ここでの判断基準としては、直ぐに送信せずに後から送信する指示がなされている場合には後送モードとなり、また移動端末装置１が通信可能なサービスエリアの圏外にあるために送信できないような場合にも後送モードとなる。逆に、撮像後直ぐに送信する指示がなされている場合であって移動端末装置１が通信可能なサービスエリアの圏内にある場合は、即送モードとなる。
【００３６】
即送モードであると判断された場合（ステップＳ４０２：即送モード）は、ステップＳ４０３において、ステップＳ４０１で撮像した画像のサイズが所定の値、例えば５０ｋバイト以上であるか否かを判断する。所定の値以上であると判断された場合（ステップＳ４０３：ＹＥＳ）は、ステップＳ４０４において、画像データの先頭から所定の値（例えば５０ｋバイト）で分割する。
【００３７】
そして、ステップＳ４０３で所定の値以上ではないと判断された場合（ステップＳ４０３：ＮＯ）あるいはステップＳ４０４で所定の値で分割された場合、ステップＳ４０５において、これらの画像を予め定めた前記サーバ装置２へ送信する。送信が行われると、サーバ装置２から受信した旨の応答が返送されてくるので、ステップＳ４０６において、この応答が返送されてきたか否かを判断する。応答がなければ（ステップＳ４０６：ＮＯ）、ステップＳ４０７において、再送するかいなを判断し、再送の必要があれば（ステップＳ４０７：ＹＥＳ）、ステップＳ４０５に戻る。他方、応答があれば（ステップＳ４０６：ＹＥＳ）、ステップＳ４０８において、ステップＳ４０５で送信した画像が最後の画像（分割しない小さな画像であればその画像が最後である）であるのか否かを判断し、最後であれば（ステップＳ４０８：ＹＥＳ）本処理を終了し、最後でなければ（ステップＳ４０８：ＮＯ）ステップＳ４０３に戻り、分割した残りの画像についてステップＳ４０３以降の処理を繰り返す。
【００３８】
また、ステップＳ４０２で後送モードであると判断された場合（ステップＳ４０２：後送モード）は、ステップＳ４０９において、ステップＳ４０１で撮像した画像を端末内蔵メモリ１４に格納する。その後、移動端末装置１の送信ボタンが押されたり、移動端末装置１が通信可能なサービスエリアの圏内に移動したりすることにより、ステップＳ４１０で送信の指示がなされたと判断される（ステップＳ４１０：ＹＥＳ）と、ステップＳ４０３に戻り、ステップＳ４０５で画像の送信が自動的に行われることになる。なお、この場合、前記端末内蔵メモリ１４に格納された前記画像は前記端末内蔵メモリ１４から削除する。
【００３９】
図５は、サーバ装置において実行される画像受信処理の流れを示すフローチャートである。
サーバ装置２は、まず、ステップＳ５０１において、前記移動端末装置１から送信された前記画像を受信し、受信が成功した旨の応答を移動端末装置１に返送する。次に、ステップＳ５０２において、ステップＳ５０１で受信した画像が全てであるのか否か、すなわち分割された画像であれば最後の分割画像を受信したか否かを判断する。
【００４０】
全てでなければ（ステップＳ５０２：ＮＯ）ステップＳ５０１に戻り、次の画像を受信する。他方、全て（分割されていない小さな画像であればその画像が全てである）であれば（ステップＳ５０２：ＹＥＳ）、ステップＳ５０３において、受信した全ての分割画像から元の画像を復元する。そして、ステップＳ５０４において、受信した画像、復元した画像をサーバ装置側メモリ１０に蓄積する。蓄積する先は内蔵メモリ１０Ａあるいは外部メモリ１０Ｂの何れでもよい。
【００４１】
次に、本ネットワークシステムにおいて実行される他の通信制御方法について、フローチャート等を用いて説明する。
図６は、移動端末装置において実行されるコード送信処理の流れを示すフローチャートである。
【００４２】
移動端末装置１は、まず、ステップＳ６０１において、前記撮像装置７により画像を撮像するための指示操作に基づいて、前記サーバ装置２で起動するアプリケーションプログラムを特定するためのアプリケーション識別情報を含むアプリケーション情報が符号化された特殊コードを読み取る。
【００４３】
図７は、特殊コードの例を示す図である。
図６のステップＳ６０１で読み取る特殊コードは、例えば図７に示したように、異なる光学特性を有する単元モジュールが二次元に配列された二次元バーコードであり、例えば、時刻情報、場所情報または物事の内容を示す事柄情報を含む前記アプリケーション情報が符号化された特殊コードである。
【００４４】
そして、図６のステップＳ６０２において、ステップＳ６０１で読み取った前記特殊コードを送信用コードに変換する。
図８は、送信用コードの例を示す図である。
【００４５】
図８に示した送信用コードの例は、図６の左側最上部に示した特殊コードを変換した例であり、「ＷＥＢ行動掲示板」というアプリケーションプログラムを示す情報、「大崎３Ｆ＿中央打合卓」という場所を示す情報、「打合１５分」という物事の内容および時間（現在時刻からの経過時刻）を示す情報を表す送信用コードである。
【００４６】
図６の説明に戻り、ステップＳ６０３において、ステップＳ６０２で変換した送信用コードを前記サーバ装置２へ送信するが、この際、前記送信用コードとともに前記移動端末装置１を特定するための端末識別情報を送信する。送信が行われると、サーバ装置２から受信した旨の応答が返送されてくるので、ステップＳ６０４において、この応答が返送されてきたか否かを判断する。応答がなければ（ステップＳ６０４：ＮＯ）、ステップＳ６０３で送信用コードを再度送信する。他方、応答があれば（ステップＳ６０４：ＹＥＳ）、本処理を終了する。
【００４７】
図９は、サーバ装置において実行されるコード受信処理の流れを示すフローチャートである。
サーバ装置２は、まず、ステップＳ９０１において、前記移動端末装置１から送信された前記送信用コードを受信し、受信が成功した旨の応答を移動端末装置１に返送する。次に、ステップＳ９０２において、ステップＳ９０１で受信した前記送信用コードを解析する。
【００４８】
そして、ステップＳ９０３において、ステップＳ９０２で解析した前記アプリケーション識別情報に基づいて、前記アプリケーションプログラムを実行する。例えば、前記アプリケーションプログラムとして、前記時刻情報、前記場所情報または前記事柄情報と前記端末識別情報とに基づいて、予め前記移動端末装置１に対応付けられている者のスケジュールを管理するスケジュール管理プログラムを実行する。
【００４９】
図１０は、サーバ装置において実行されるアプリケーションプログラムの例を示す図である。
図１０に示されているアプリケーションプログラムの例は、スケジュールを管理するスケジュール管理プログラムであり、移動端末装置１を用いて図７に示したような特殊コードを読み取るだけで、移動端末装置１に対応付けられているユーザのスケジュールを管理、表示することができるようになっている。
【００５０】
以上、図面に基づいて本発明を適用したネットワークシステムおよび該ネットワークシステムにおいて実行される通信制御方法についての実施の形態を説明してきたが、上述してきた本発明の実施の形態は、ネットワークシステムを構成する撮像装置付き移動端末装置およびサーバ装置の一機能としてハードウェアまたはＤＳＰ（Digital Signal Processor）ボードやＣＰＵボードでのファームウェアもしくはソフトウェアにより実現することができる。
【００５１】
また、本発明が適用される撮像装置付き移動端末装置またはサーバ装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００５２】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムコードを記録したＲＯＭやＲＡＭのメモリ、外部記録装置、可搬記録媒体を、画像処理装置に供給し、その画像処理装置のコンピュータがプログラムコードを読み出し実行することによっても、達成されることは言うまでもない。
【００５３】
この場合、可搬記録媒体等から読み出されたプログラムコード自体が本発明の新規な機能を実現することになり、そのプログラムコードを記録した可搬記録媒体等は本発明を構成することになる。
【００５４】
プログラムコードを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００５５】
また、コンピュータ（情報処理装置）がメモリ上に読み出したプログラムコードを実行することによって、前述した実施の形態の機能が実現される他、そのプログラムコードの指示に基づき、コンピュータ上で稼動しているＯＳなどが実際の処理の一部または全部を行ない、その処理によっても前述した実施の形態の機能が実現される。
【００５６】
さらに、可搬型記録媒体から読み出されたプログラムコードやプログラム（データ）提供者から提供されたプログラム（データ）が、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によっても前述した実施の形態の機能が実現され得る。
【００５７】
すなわち、本発明は、以上に述べた実施の形態に限定されるものではなく、本発明の要旨を逸脱しない範囲内で種々の構成または形状を取ることができる。
【図面の簡単な説明】
【００５８】
【図１】本発明を適用したネットワークシステムの全体概要を示す図である。
【図２】本発明を適用した移動端末装置の機能ブロック図である。
【図３】本発明を適用したサーバ装置に機能ブロック図である。
【図４】移動端末装置において実行される画像送信処理の流れを示すフローチャートである。
【図５】サーバ装置において実行される画像受信処理の流れを示すフローチャートである。
【図６】移動端末装置において実行されるコード送信処理の流れを示すフローチャートである。
【図７】特殊コードの例を示す図である。
【図８】送信用コードの例を示す図である。
【図９】サーバ装置において実行されるコード受信処理の流れを示すフローチャートである。
【図１０】サーバ装置において実行されるアプリケーションプログラムの例を示す図である。
【符号の説明】
【００５９】
１      移動端末装置
２      サーバ装置
３      ネットワークシステム
４      ネットワーク
５      ＬＡＮ
６      ＰＣ端末装置
７      撮像装置
８      通信手段
９      通信手段
１０    サーバ側メモリ
１０Ａ  内蔵メモリ
１０Ｂ  外部メモリ
１１    撮像手段
１２    画像送信手段
１３    画像分割手段
１４    端末内蔵メモリ
１５    画像格納手段
１６    特殊コード読取手段
１７    コード変換手段
１８    送信手段
２１    画像受信手段
２２    画像蓄積手段
２３  画像復元手段
２４  受信手段
２５  コード解析手段
２６  実行手段
【図１】
2007174105.tif 000003
【図２】
2007174105.tif 000004
【図３】
2007174105.tif 000005
【図４】
2007174105.tif 000006
【図５】
2007174105.tif 000007
【図６】
2007174105.tif 000008
【図７】
2007174105.tif 000009
【図８】
2007174105.tif 000010
【図９】
2007174105.tif 000011
【図１０】
2007174105.tif 000012